(57)【要約】【課題】裏面側に発熱源を収容する凹陥部２２を有する床暖房用床材２０において、施工時の叩き込みや釘打ちによって表面にふくれが生じ、斜光線が現れるのを防止する。【解決手段】合板基材２１として短手方向に表層の木目方向が走るクロス合板を使用し、かつ、合板基材２１の裏面側に発熱源を収容する凹陥部２２を加工するに際し、凹陥部２２はクロス合板２１の表層２５から３層目（原中）２７の層の全部または一部を残すようにして加工する。凹陥部２２の上には３層構造の合板が残存するので剛性が強くなり、ふくれが生じて斜光線が現れるのを抑制できる。【選択図】図２
2008045377.tif 000002
【特許請求の範囲】
【請求項１】
合板基材の裏面側に発熱源を収容する凹陥部を加工した構成を少なくとも備える床基材であって、前記合板基材は床基材の短手方向に表層の木目方向が走るクロス合板であり、前記凹陥部は前記クロス合板の少なくとも表層から３層目の層の全部または少なくとも一部を残すようにして合板基材の裏面側に加工されていることを特徴とする床基材。
【請求項２】
請求項１に記載の床基材における凹陥部に発熱源を収容した床暖房用床材。
【発明の詳細な説明】
【技術分野】
【０００１】
本発明は、床基材とそれを用いた床暖房用床材に関する。
【背景技術】
【０００２】
１尺×６尺のような長尺状の床基材の裏面側に凹陥部を加工し、その中にヒーターユニットを嵌め込んだ構成の電気式一体型の床暖房用床材は知られている（例えば、特許文献１等参照）。床基材の周壁には雄実および雌実が形成され、表面側には、通常、突き板のような適宜の化粧材が積層される。ヒーターユニットに替えて、温水循環ユニットを嵌め込み、温水式の床暖房用床材とすることも知られている。
【０００３】
そのような床暖房用床材の多数枚が、例えば根太間に断熱材を配置し、その上に合板を敷設して形成した床下地の上に、実接合しながら敷き詰められて、電気式あるいは温水式の床暖房フロアとされる。
【０００４】
【特許文献１】特開平１１−２５６８０３号公報
【発明の開示】
【発明が解決しようとする課題】
【０００５】
図３に示すように、床下地１の上に床暖房用床材１０を敷き詰めるときに、床基材１１の長手方向の側辺１２に形成した雄実１３側から、所要本数の釘２を床下地１に向けて打ち付けて、床暖房用床材１０を順次床下地１に固定していく。釘２は斜め下方内側に向けて打ち込まれるので、床基材１１の雄実１３側の側辺部１２近傍には下向きのモーメントＭが作用する。床基材１１の裏面に形成した凹陥部１４の、雄実１３側のコーナー部１５近傍の剛性が不十分の場合には、前記したモーメントＭにより、図３に誇張して示すように、その領域に一種の変形（上にふくれた状態）１６が生じる。この現象は、施工時に床暖房用床材１０を叩き込むときにも発生する恐れがある。なお、図３において、１７はＰＴＣヒータのような加熱源、１８は断熱材である。
【０００６】
このふくれ現象は、例えば突き板である表面化粧材１９にも影響を与え、床基材１１の長手方向に沿って、表面化粧材１９にいわゆる斜光線が発生する。この現象は、とりわけ、ある角度から見ると光の反射具合で、表面に違和感を持たせるような線条として映り、暖房用床材１０の商品価値を低下させるので、極力回避しなければならない。
【０００７】
本発明は、上記の事情に鑑みてなされたものであり、床暖房用床材を床下地に敷設するときに、施工時の叩き込みや釘打ちによって生じるモーメントに起因して、表面にいわゆる斜光線が現れるのを、効果的に阻止することのできる床基材とそれを用いた床暖房用床材を提供することを目的とする。
【課題を解決するための手段】
【０００８】
上記の課題を解決するための本発明による床基材は、合板基材の裏面側に発熱源を収容する凹陥部を加工した構成を少なくとも備える床基材であって、前記合板基材は床基材の短手方向に表層の木目方向が走るクロス合板であり、前記凹陥部は前記クロス合板の少なくとも表層から３層目の層の全部または少なくとも一部を残すようにして合板基材の裏面側に加工されていることを特徴とする。
【０００９】
本発明による床基材は、凹陥部の上に、合板基材であるクロス合板を構成する表層の全部と、該表層と木目方向が交差する２層目の層の全部と、表層と同じ木目方向である３層目の層の全部または少なくとも一部からなる層とからなる、３層の合板構造が残存する。そのために、床下地への敷設時に、例えば床基材の雄実側の側辺部に釘打ち等により下向きのモーメントが作用しても、そのモーメントに耐えるだけの高い剛性が、床基材の裏面に形成した凹陥部の雄実側のコーナー部近傍に確保される。それにより、前記したふくれが生じるのを阻止することができ、表層あるいはその上に積層した化粧層に斜光線が発生するのを回避できる。
【００１０】
本発明による床基材は、合板基材として、表層の木目方向が床基材の短手方向に走るクロス合板を用いており、表面化粧材として突き板を採用するときに、その木目方向を床基材の長手方向に沿わせることによって、意匠性が高くかつ突き板に割れ等が生じがたい床基材とすることができる。
【００１１】
本発明において、クロス合板基材の積層数に制限はないが、５プライクロス合板または７プライクロス合板が適切である。７プライクロス合板の場合には、前記凹陥部の上に４層以上の合板構造が残存するようにして前記凹陥部の加工を行ってもよい。
【００１２】
本発明は、上記した床基材における前記凹陥部内に発熱源を収容した床暖房用床材をも開示する。発熱源は、ＰＴＣヒータのような面ヒータまたはコードヒータでもよく、温水パイプであってもよい。好ましくは、前記凹陥部内には発熱源に加えて発泡樹脂のような適宜の断熱材も収容される。
【発明の効果】
【００１３】
本発明によれば、床下地への施工時に、突き板等の表面化粧材にいわゆる斜光線が発生するのを確実に抑制することのできる床基材、およびそれを用いた床暖房用床材が得られる。
【発明を実施するための最良の形態】
【００１４】
以下、図面を参照して本発明を実施の形態に基づき説明する。図１は本発明による床基材を用いた床暖房用床材を示しており、図１ａは全体の斜視図、図１ｂは図１ａのｂ−ｂ線に沿う断面図である。図２は床基材の長手方向に形成した雄実側を拡大して示す断面図であって、図２ａは本発明による場合であり、図２ｂは本発明によらない場合である。
【００１５】
この例において、床暖房用床材２０は、５プライのクロス合板である合板基材２１と、該合板基材２１の裏面に成形された凹陥部２２内に収容された発熱源の一例であるＰＴＣヒータ１７と、断熱材としての例えば発泡樹脂板１８とを備える。合板基材２１の上には、突き板２３が、合板基材２１の長手方向Ｙに木目方向を一致させて貼り付けてある。図１ａで２４は疑似溝である。
【００１６】
図２ａに示すように、合板基材２１は、表層（甲板）２５，２層目（中板）２６，３層目（原中）２７，４層目２８，および５層目２９とからなる構成であり、表層２５の木目方向は突き板２３の木目方向（長手方向Ｙ）とクロスする方向、すなわち合板基材２１の短手方向Ｘと同じ方向である。以下、木目方向が交互に交差するように２層目〜５層目が積層されている。すなわち、２層目はロング（長手方向Ｙ）、３層目はクロス（短手方向Ｘ）、４層目はロング（長手方向Ｙ）、５層目はクロス（短手方向Ｘ）とされている。
【００１７】
合板基材２１の長手方向（Ｙ方向）に沿う側辺の一方には、３層目（原中）２７を中心とする雄実３０が形成され、長手方向に沿う他方の側辺には対応する位置に雌実３１が形成されている。合板基材２１の短手方向（Ｘ方向）に沿う側辺の一方にも雄実３０が形成され、短手方向に沿う他方の側辺の対応する位置には雌実３１が形成されている。
【００１８】
本発明による合板基材２１において、前記した凹陥部２２は、５層目２９側から３層目（原中）２７の途中までの深さに加工されている。すなわち、凹陥部２２の上には、合板基材２１であるクロス合板を構成する表層２３の全部と、表層２３と木目方向が交差する２層目２６の全部と、表層２３と同じ木目方向である３層目２７の一部２７ａからなる、３層の合板構造が残存している。そのために、床基材２１の裏面に形成した凹陥部２２の雄実３０側のコーナー部１５の近傍には、高い剛性が確保される。
【００１９】
図２ｂに示す合板基材２１ａは、合板基材そのものの構成は図２ａに示したものと同じであるが、裏面に形成した凹陥部２２ａの深さにおいて、異なっている。すなわち、合板基材２１ａでは、凹陥部２２ａは、５層目２９側から２層目（中板）２６の底面に達する深さに加工されており、凹陥部２２ａの上には、クロス合板を構成する表層２３（Ｘ方向）と、表層２３と木目方向が交差する２層目（Ｙ方向）２６のみが残存するだけである。そのために、床基材２１ａの裏面に形成した凹陥部２２ａの雄実３０側のコーナー部１５ａの近傍の剛性は、図２ａに示した合板基材２１と比較して、低いものとなる。
【００２０】
本発明による合板基材２１では、凹陥部２２ａの雄実３０側のコーナー部１５ａの近傍には高い剛性が確保されており、図３に基づき説明したように、床下地１の上に合板基材２１（床暖房用床材２０）を敷き詰めるときに、床基材２１の長手方向の側辺に形成した雄実３０側から釘２を床下地１に向けて打ち付けても、前記した変形（上にふくれた状態）１６が生じることはなく、突き板２３の表面にいわゆる斜光線が現れるのを、効果的に阻止することができる。
【図面の簡単な説明】
【００２１】
【図１】本発明による床基材を用いた床暖房用床材を示しており、図１ａは全体の斜視図、図１ｂは図１ａのｂ−ｂ線に沿う断面図である。
【図２】床基材の長手方向に形成した雄実側を拡大して示す断面図であって、図２ａは本発明による場合であり、図２ｂは本発明によらない場合である。
【図３】床暖房用床材を床下地に固定するときに生じる恐れのある不都合を説明するための概念図。
【符号の説明】
【００２２】
２０…床暖房用床材、２１…クロス合板である合板基材、２２…凹陥部、２３…突き板、２５…表層（甲板）、２６…２層目（中板）、２７…３層目（原中）、２８…４層目、２９…５層目、３０…雄実、Ｙ…合板基材の長手方向、Ｘ…合板基材の短手方向
【図１】
2008045377.tif 000003
【図２】
2008045377.tif 000004
【図３】
2008045377.tif 000005